(57)【要約】      （修正有）【課題】収納時にはコンパクトで、使用時には目的に応じて配置形態を変更でき、ステージ領域の拡張も図ることができる使い勝手の良いスロープを提供する。【解決手段】上記課題を解決するために、本考案のスロープ１は、地面ＧＬに対して所定高さレベルの作業場所となる第１ステージ３を提供する第１スロープ要素５と、第１スロープ要素に着脱可能に取り付けられ、車両走行用第１傾斜路７と第２ステージとを提供する第２スロープ要素１１と、第２スロープ要素に着脱可能に取り付けられ、地面と第２スロープ要素との間で車両走行用第２傾斜路１３を提供する第３スロープ要素１５と、を具備し、第２スロープ要素の第３スロープ要素側の端部には、収納姿勢と出現姿勢をとる可動脚部１７が出没可能に設けられている。【選択図】図１
0003233043.tif 000002
【実用新案登録請求の範囲】
【請求項１】
高所及び低所の内高所側に設置され、低所に対して所定高さレベルの作業場所となる第１ステージを提供する第１スロープ要素と、
上記第１スロープ要素に対して着脱可能に取り付けられ、車両走行用第１傾斜路と、上記第１ステージと同じ高さレベルの第２ステージと、を選択的に提供する第２スロープ要素と、
上記第２スロープ要素に対して着脱可能に取り付けられ、低所と上記第２スロープ要素との間で車両走行用第２傾斜路を提供する第３スロープ要素と、
を具備し、
上記第２スロープ要素の上記第３スロープ要素側の端部には、可動脚部が出没可能に設けられていて、上記車両走行用第１傾斜路を提供する場合には上記可動脚部は収納され、上記第１ステージと同じ高さレベルの第２ステージを提供する場合には上記可動脚部が出現されるものであることを特徴とするスロープ。
【請求項２】
請求項１記載のスロープにおいて、
上記可動脚部は、収納状態をロック手段によってロックされていることを特徴とするスロープ。
【請求項３】
請求項２記載のスロープにおいて、
上記ロック手段は、上記第２スロープ要素に移動可能に設置されたロック爪と、上記可動脚部に設置され上記ロック爪が係合されるロックピンと、上記第２スロープ要素に設置され上記ロック爪を上記ロックピンに係合させる方向に付勢する弾性手段と、上記ロック爪の上記ロックピンへの係合を解除するロック解除レバーと、から構成されていて、
上記ロック手段によるロックを行う場合には、上記可動脚部を収納方向に押圧することにより上記ロック爪が上記ロックピンによって上記弾性部材の付勢力に抗して回動された後上記ロックピンに係合するようにしたことを特徴とするスロープ。
【請求項４】
請求項３記載のスロープにおいて、
上記ロック解除レバーによって上記ロック爪の上記ロックピンへの係合を解除して上記可動脚部が出現する際ダンパによって緩速化するように構成されていることを特徴とするスロープ。
【請求項５】
請求項１〜請求項４の何れかに記載のスロープにおいて、
上記第２スロープ要素の上記可動脚部を出現させて上記第１ステージと同じ高さレベルの第２ステージを提供する場合には、上記第１スロープ要素に対して前後左右の複数の方向から第２スロープ要素を連結させることができるように構成されていることを特徴とするスロープ。
【請求項６】
請求項１〜請求項５の何れかに記載のスロープにおいて、
上記第１スロープ要素には、第２スロープ要素と連結するための被係合部が設けられていて、上記第２スロープ要素には上記被係合部に係合される係合部が設けられていることを特徴とするスロープ。
【請求項７】
請求項１〜請求項６の何れかに記載のスロープにおいて、
上記第２スロープ要素には上記第３スロープ要素と連結するための被係合部が設けられていて、上記第３スロープ要素には上記被係合部に係合される係合部が設けられていることを特徴とするスロープ。
【請求項８】
請求項６又は請求項７記載のスロープにおいて、
上記各被係合部と各係合部の一方又は双方には視認可能な目印が設けられていることを特徴とするスロープ。
【請求項９】
請求項１〜請求項８の何れかに記載のスロープにおいて、
上記第３スロープ要素は、上記第１スロープ要素の下部スペースに格納し得るように構成され、上記第２スロープは上記第１スロープ上に載置し得るように構成されていることを特徴とするスロープ。
【考案の詳細な説明】
【技術分野】
【０００１】
本考案は、高さレベルの違う２地点、例えばトラックの荷台に搭載した船積み用のコンテナの床面と倉庫に通じるアプローチの地面との間で荷物の搬入・搬出を行う場合に、フォークリフトを上記高さレベルの違う２地点間を移動できるように案内するスロープに係り、特にコンパクトに収納でき、目的に応じて配置形態を自由に変更でき、ステージ領域を拡張できるようにすることで、使い勝手が更に向上するように工夫したものに関する。
【背景技術】
【０００２】
この種のスロープを開示するものとして、例えば、特許文献１がある。このスロープは、フォークリフトによる荷役作業の作業場所となるプラットフォーム（ステージ）と、該プラットフォームに対して回動可能な状態で連結される荷物搬入・搬出車両走行路と、を備えており、このうち荷物搬入・搬出車両走行路は、水平状態にあるときにはプロットフォームの一部として機能し、傾斜状態にあるときにはフォークリフトの昇降路として機能するように構成されている。
【先行技術文献】
【特許文献】
【０００３】
【特許文献１】特開２００５―１６２４０２号公報
【考案の概要】
【考案が解決しようとする課題】
【０００４】
しかし、上記特許文献１に示すスロープは、基本的に単一のプラットフォームのみでフォークリフトの作業場所を構成していたため、比較的広いステージ面積を必要としていた。又、荷物搬入・搬出車両走行路は、上記プラットフォームに対して常時連結されている構造であったため、スロープ全体が大きくなってしまって、その収納形態のコンパクト化も課題になっていた。
【０００５】
本考案は、このような点に基づいてなされたものでその目的とするところは、収納時にはコンパクトに収納でき、高さレベルの違う２地点間の移動時にはフォークリフトの走行路として機能し、ステージ上でのフォークリフトを使用した荷役作業時にはフォークリフトの広い作業場所を提供することができる収納性と配置形態の変更の容易性とステージ拡張性とを兼ね備えた使い勝手の良いスロープを提供することにある。
【課題を解決するための手段】
【０００６】
上記目的を達成するべく本願考案の請求項１によるスロープは、高所及び低所の内高所側に設置され、低所に対して所定高さレベルの作業場所となる第１ステージを提供する第１スロープ要素と、上記第１スロープ要素に対して着脱可能に取り付けられ、車両走行用第１傾斜路と、上記第１ステージと同じ高さレベルの第２ステージと、を選択的に提供する第２スロープ要素と、上記第２スロープ要素に対して着脱可能に取り付けられ、低所と上記第２スロープ要素との間で車両走行用第２傾斜路を提供する第３スロープ要素と、を具備し、上記第２スロープ要素の上記第３スロープ要素側の端部には、可動脚部が出没可能に設けられていて、上記車両走行用第１傾斜路を提供する場合には上記可動脚部は収納され、上記第１ステージと同じ高さレベルの第２ステージを提供する場合には上記可動脚部が出現されるものであることを特徴とするものである。
又、請求項２によるスロープは、請求項１記載のスロープにおいて、上記可動脚部は、収納状態をロック手段によってロックされていることを特徴とするものである。
又、請求項３によるスロープは、請求項２記載のスロープにおいて、上記ロック手段は、上記第２スロープ要素に移動可能に設置されたロック爪と、上記可動脚部に設置され上記ロック爪が係合されるロックピンと、上記第２スロープ要素に設置され上記ロック爪を上記ロックピンに係合させる方向に付勢する弾性手段と、上記ロック爪の上記ロックピンへの係合を解除するロック解除レバーと、から構成されていて、上記ロック手段によるロックを行う場合には、上記可動脚部を収納方向に押圧することにより上記ロック爪が上記ロックピンによって上記弾性部材の付勢力に抗して回動された後上記ロックピンに係合するようにしたことを特徴とするものである。
又、請求項４によるスロープは、請求項３記載のスロープにおいて、上記ロック解除レバーによって上記ロック爪の上記ロックピンへの係合を解除して上記可動脚部が出現する際ダンパによって緩速化するように構成されていることを特徴とするものである。
又、請求項５によるスロープは、請求項１〜請求項４の何れかに記載のスロープにおいて、上記第２スロープ要素の上記可動脚部を出現させて上記第１ステージと同じ高さレベルの第２ステージを提供する場合には、上記第１スロープ要素に対して前後左右の複数の方向から第２スロープ要素を連結させることができるように構成されていることを特徴とするものである。
又、請求項６によるスロープは、請求項１〜請求項５の何れかに記載のスロープにおいて、上記第１スロープ要素には、第２スロープ要素と連結するための被係合部が設けられていて、上記第２スロープ要素には上記被係合部に係合される係合部が設けられていることを特徴とするものである。
又、請求項７によるスロープは、請求項１〜請求項６の何れかに記載のスロープにおいて、上記第２スロープ要素には上記第３スロープ要素と連結するための被係合部が設けられていて、上記第３スロープ要素には上記被係合部に係合される係合部が設けられていることを特徴とするものである。
又、請求項８によるスロープは、請求項６又は請求項７記載のスロープにおいて、上記各被係合部と各係合部の一方又は双方には視認可能な目印が設けられていることを特徴とするものである。
又、請求項９によるスロープは、請求項１〜請求項８の何れかに記載のスロープにおいて、上記第３スロープ要素は、上記第１スロープ要素の下部スペースに格納し得るように構成され、上記第２スロープは上記第１スロープ上に載置し得るように構成されていることを特徴とするものである。
【考案の効果】
【０００７】
したがって、本考案によるスロープによれば、第１スロープ要素と第２スロープ要素と第３スロープ要素は、それぞれが常時連結された一体構造ではなく、必要に応じて分離・連結するセパレート式の着脱構造を採用している。
これにより、収納時には各要素を分離してコンパクトに収納することができるようになり、連結時には、フォークリフト等の車両の走行路あるいは作業場所が拡張されたステージとして利用できるようになって収納性と使い勝手が向上する。
又、第２スロープ要素に設けた出没可能な可動脚部によって、該可動脚部を収納することによって車両走行用第１傾斜路に速やかに移行でき、可動脚部を出現させることによって、上記第１ステージと同じ高さレベルの第２ステージに円滑に移行することが可能になる。
又、可動脚部の収納状態をロック手段によってロックするように構成した場合には、第２スロープ要素における第３スロープ要素側の端部を持って上げ下ろしする際、可動脚部が不用意に出現することが防止されるから、安心・安全な上記上げ下ろしが行われるようになり、不用意な出現によって生ずる可動脚部の損傷も防止される。
又、ロック手段をロック方向に付勢されたロック爪と、ロック爪と係合するロックピンと、を備えることによって構成し、可動脚部を収納方向に押圧することによって上記ロック爪が自動的に回動して該ロック爪がロックピンと係合するロック状態に移行するように構成した場合には、フォークリフト等を使用して可動脚部を収納方向に押圧する１アクションのみで可動脚部の収納方向への回動と可動脚部の収納状態のロックとの２つの動作を同時に行うことが可能になる。
又、上記可動脚部が出現する際にダンパによって緩速化するように構成されているので、可動脚部の出現時の衝撃を吸収することができる。
又、上記第２スロープ要素を上記第１スロープ要素に連結するに際して、前後左右の複数の方向から連結できるように構成した場合には、例えば第１ステージと第２ステージを横（左右）に並べればフォークリフト等の方向転換が容易になって、フォークリフト等による荷役作業の円滑化が期待できる。一方、第１ステージと第２ステージを縦（前後）に並べれば長尺な荷物の荷役作業が可能になる。
又、上記第１スロープ要素に第２スロープ要素と連結するための被係合部を設け、上記第２スロープ要素に上記被係合部に係合される係合部を設けた場合には、当該係合部を被係合部に係合させるだけで第１スロープ要素と第２スロープ要素との連結状態が形成され、当該係合部と当該被係合部の係合を解除するだけで第１スロープ要素と第２スロープ要素を容易に短時間で分離することが可能になる。
又、上記第２スロープ要素に第３スロープ要素と連結するための被係合部を設け、上記第３スロープ要素に上記被係合部に係合させる係合部を設けた場合には、当該係合部を当該被係合部に係合させるだけで第２スロープ要素と第２スロープ要素との連結状態が形成され、当該係合部と当該被係合部の係合を解除するだけで第２スロープ要素と第３スロープ要素を容易に短時間で分離することが可能になる。
又、上記各係合部と各被係合部の一方又は双方に、視認可能な目印を設けた場合には、上記各係合部と各被係合部の係合作業が上記目印に基づいて確実且つ容易に実行できるようになる。
又、上記第１スロープ要素の下部スペースを利用して上記第３スロープ要素を格納し得るように構成し、上記第２スロープは上記第１スロープ上に載置し得るように構成した場合には、第１スロープ要素の上下空間の有効利用が図れ、スロープ全体のコンパクトな収納状態が得られる。
【図面の簡単な説明】
【０００８】
【図１】本考案の一実施の形態を示す図で、第１スロープ要素と第２スロープ要素と第３スロープ要素とを連結して車両走行用傾斜路を形成した状態を示す側面図である。
【図２】本考案の一実施の形態を示す図で、第１スロープ要素と第２スロープ要素の連結状態を示す側面図である。
【図３】本考案の一実施の形態を示す図で、第２スロープ要素と第３スロープ要素の連結状態を示す側面図である。
【図４】本考案の一実施の形態を示す図で、第２スロープ要素を第２ステージとして使用する場合を示す側面図である。
【図５】本考案の一実施の形態を示す図で、収納状態のスロープを示す側面図である。
【図６】本考案の一実施の形態を示す図で、第１スロープ要素と第２スロープ要素と第３スロープ要素とを連結して車両走行用傾斜路を形成した状態を示す平面図である。
【図７】本考案の一実施の形態を示す図で、第２スロープ要素を第１スロープ要素の横に並べて連結し、ステージを左右方向に拡張した状態を示す平面図である。
【図８】本考案の一実施の形態を示す図で、ステージを左右方向に拡張した状態で荷役作業を行っている様子を示す斜視図である。
【図９】本考案の一実施の形態を示す図で、第２スロープ要素を車両走行用第１傾斜路として使用する場合の第１スロープ要素と第２スロープ要素の連結構造の一例を示す斜視図である。
【図１０】本考案の一実施の形態を示す図で、第２スロープ要素と第３スロープ要素の連結構造の一例を示す斜視図である。
【図１１】本考案の一実施の形態を示す図で、第２スロープ要素を第２ステージとして使用する場合の第１スロープ要素と第２スロープ要素の連結構造の一例を示す斜視図である。
【図１２】本考案の一実施の形態を示す図で、第２スロープ要素に設けられる可動脚部における、ロック手段のロック解除の様子を示す斜視図である。
【図１３】本考案の一実施の形態を示す図で、可動脚部が出現状態のときの第２スロープ要素の可動脚部周辺を示す側面図である。
【図１４】本考案の一実施の形態を示す図で、同上、フォークリフトを使用して第２スロープ要素の可動脚部側の端部を持ち上げた状態を示す側面図である。
【図１５】本考案の一実施の形態を示す図で、同上、フォークリフトを使用して可動脚部を収納方向に押圧している状態を示す側面図である。
【図１６】本考案の一実施の形態を示す図で、同上、可動脚部を収納した状態でフォークリフトを使用して第２スロープ要素の可動脚部側の端部を地面に降ろした状態を示す側面図である。
【図１７】本考案の一実施の形態を示す図で、ステージを前後方向に拡張した状態で長尺の荷物の荷役作業を行っている様子を示す側面図である。
【考案を実施するための形態】
【０００９】
以下、図示の一実施の形態を例にとって、本考案のスロープの構成及び配置形態と、これらの配置形態への移行手順と、について具体的に説明する。
尚、以下の説明では、最初に本考案のスロープの全体構成の概略について説明し、次に当該スロープの構成要素となる第１スロープ要素、第２スロープ要素及び第３スロープ要素について具体的に説明する。続いて、上記スロープの収納時と、走行時と、作業時の配置形態と使用方法について説明し、次に、第２スロープ要素の形態の移行手順を第２スロープ要素の作動態様と併せて説明する。最後に、上記実施の形態とは部分的構成を異にする本考案のスロープの他の実施の形態について言及する。
【００１０】
（１）スロープの全体構成の概略（図１〜図３参照）
本考案のスロープ１は、車両の荷台（高所）側に設置され、地面ＧＬ（低所）側に対して所定高さレベルＨの作業場所となる第１ステージ３を提供する第１スロープ要素５と、該第１スロープ要素５に対して着脱可能に取り付けられ、車両走行用第１傾斜路７と、上記第１ステージ３と同じ高さレベルＨの第２ステージ９と、を提供する第２スロープ要素１１と、該第２スロープ要素１１に対して着脱可能に取り付けられ、地面ＧＬと上記第２スロープ要素１１との間で車両走行用第２傾斜路１３を提供する第３スロープ要素１５と、を具備することによって基本的に構成されている。
【００１１】
そして、上記第２スロープ要素１１の上記第３スロープ要素１５側の端部には、可動脚部１７が出没可能に設けられていて、上記車両走行用第１傾斜路７を提供する場合には可動脚部１７は収納され、上記第２ステージ９を提供する場合には可動脚部１７が出現されるように構成されている。
【００１２】
したがって、本考案のスロープ１は、使用しないときには、第１スロープ要素５と、第２スロープ要素１１と、第３スロープ要素１５と、に分離してコンパクトな形態で収納することができる。又、本考案のスロープ１を使用するときには、第１スロープ要素５と、第２スロープ要素１１と、第３スロープ要素１５と、を連結して高さレベルＨの違う地面ＧＬと第１ステージ３間の連結用の走行路として使用したり、第１ステージ３に第２ステージ９を組み合わせてステージ領域を拡張した状態で使用することができるようになっている。
そして、上記連絡用の走行路とステージ領域の拡張との切り換えを、第２スロープ要素１１における可動脚部１７の出没動作によって行っていることが本考案の特徴的構成の一つになっている。
【００１３】
（２）スロープの構成要素の具体的内容（図１〜図１７参照）
次に、本考案のスロープ１の構成要素となる第１スロープ要素５と、第２スロープ要素１１と、第３スロープ要素１５について具体的に説明する。
（ａ）第１スロープ要素
第１スロープ要素５は、上述したように地面ＧＬに対して所定高さレベルＨの作業場所となる第１ステージ３を提供するスロープ１の構成要素である。具体的には、形鋼材等の構造材を使用して矩形枠状に組み立てられた上部フレーム１９の上面に矩形平板状のパネル２１を取り付けることによって第１ステージ３が構成されており、上部フレーム１９の四隅の下方に、上記第１ステージ３の高さレベルＨを設定する脚部２３が筋交い等の補強フレームを介して設けられている。
【００１４】
上部フレーム１９には、フォークリフトＦを使用して持ち上げたり、移動したりする場合に、フォークリフトＦのフォークを差し込むための一例として矩形穴状をした係止部２５が一例として前後方向Ｙの中央付近に２ヶ所設けられている。
又、上部フレーム１９の前端には、トラックＴの荷台に搭載されたコンテナＣの床面ＡＬ等に、その先端部を掛けて使用して両者の隙間を塞ぐ、あおり板２７が回動自在に設けられており、このあおり板２７は、自重等によって不用意に下方に倒れないように倒伏防止構造がとられている。
【００１５】
パネル２１の上面には、図示を省略した凹凸構造が設けられており、第１ステージ３上でのフォークリフトＦないし作業者Ａの滑り防止が図られている。又、パネル２１の周縁の必要な個所には、一例として門型をした安全ガード柵２９が着脱可能な状態で適宜の数、設けられている。
尚、この安全ガード柵２９は、厚さが一例として４．５ｍｍの角パイプを使用しており、頑強な構造を有している。
この他、第１ステージ３の上記あおり板２７が取り付けられていない後端部には、次に述べる第２スロープ要素１１を走車両走行用第１傾斜路７として使用する場合や第１ステージ３と第２ステージ９を前後方向（縦方向）に並べて使用する場合に使用する連結用の矩形穴状の被係合部３１Ａが一例として２個左右に離間して設けられている。
【００１６】
更に、第１ステージ３の左右方向Ｘの両端部における前後方向Ｙの中央部にも１個ずつ、次に述べる第２スロープ要素１１を第１スロープ要素５と左右方向（横方向）Ｘに並べて第２ステージ９とする場合に使用する連結用の同じく矩形穴状の被係合部３１Ｂが一例として１個ずつ設けられている。
又、この係合部３１Ｂが設けられている部位近傍のパネル２１の上面には、フォークリフトＦに乗って作業する作業者Ａがその係合位置を確認するための案内として、視認可能な目印３３Ａが設けられている。
因みに、本実施の形態ではパネル２１の他の部位とは別の色、例えば黄色に塗られた四角形状のカラーマーカが上記目印３３Ａとして設けられている。
【００１７】
又、脚部２３は、トラックＴの荷台に搭載されたコンテナＣと接続される前方側の脚部２３Ａと、次に述べる第２スロープ要素１１と連結される後方側の脚部２３Ｂと、で異なる構造のものが採用されている。
具体的には、前方側の脚部２３Ａには、高さレベルＨを一例として１２００ｍｍ〜１４００ｍｍの範囲で調整できるようにするために、その下端部に一例として台形ネジを使用した調整足３５が取り付けられている。一方、後方側の脚部２３Ｂには、第１スロープ要素５を移動する場合に前方側の脚部２３Ａを地面ＧＬから浮かせて傾けた状態で運べるようにするキャスタ３７が一例として後方側に張り出すように設けられている。
【００１８】
（ｂ）第２スロープ要素
第２スロープ要素１１は、上述したように、上記第１スロープ要素５に対して着脱可能に取り付けられ、車両走行用第１傾斜路７と、第２ステージ９と、を提供するスロープ１の構成要素である。具体的には、上記第１スロープ要素５と同様に、型鋼材等の構造材を使用して矩形枠状に組み立てられた上部フレーム３９の上面に矩形平板状のパネル４１を取り付けることによって第２ステージ９が構成されており、上部フレーム３９の四隅の下方に、上記第２ステージ９の高さレベルＨを設定すると共に、車両走行用第１傾斜路７の傾斜角度θを設定する固定脚部４３Ａ、４３Ｂが筋交い等の補強フレームを介して設けられている。
【００１９】
上部フレーム３９には、フォークリフトＦを使用して持ち上げたり、移動させたりする場合に、フォークリフトＦのフォークを差し込むための、一例として矩形穴状をした係止部４５が一例として前後方向Ｙの中央付近に２ヶ所設けられている。
係止部４５は、穴部の大きさの違うものが２種類取り付けられており、後端寄りに設けられている係止部４５Ｂは、上記第１スロープ要素５と同じ口径が小さなタイプである。一方、前端よりに設けられている係止部４５Ａは、口径が大きくその底辺部が幾分地面ＧＬ側に傾いたタイプのものが取り付けられている。
因みに、口径が大きな係止部４５Ａは、第２スロープ要素１１が車両走行用傾斜路７として使用する場合と、第２ステージ９として使用する場合と、で姿勢が変化するため、そのどちらの姿勢のときでもフォークリフトＦによって第２スロープ要素１１を持ち上げて移動できるようにするためである。
【００２０】
パネル４１の上面には、図示を省略した凸条が多数、等間隔で設けられており、車両走行用第１傾斜路７として使用する場合と第２ステージ９として使用する場合のパネル４１上でのフォークリフトＦないし作業者Ａの滑り防止が図られている。又、パネル４１の周縁部の必要な個所には、上記第１スロープ要素５と同じ安全ガード柵２９が着脱可能な状態で適宜の数設けられている。
この他、第２ステージ９の前端部には、第１ステージ３との連結部に出来る隙間を塞ぐ庇状のフラップ４９が設けられており、このフラップ４９の下面に上記第１ステージ３に設けた被係合部３１Ａに対して上方から挿嵌されて係合する一例として矩形平板状の係合部４７Ａが垂下姿勢で設けられている。
【００２１】
更に、第２ステージ９の左右方向Ｘの両端部における前後方向Ｙの中央部には、上記第１ステージ３に設けた被係合部３１Ｂに対して上方から挿嵌されて係合する一例として逆大形状の板材によって構成される係合部４７Ｂが設けられている。
又、この係合部４７Ｂが設けられている部位近傍のパネル４１の上面にも、上記第１スロープ要素５と同様の一例として黄色に塗られた四角形状のカラーマーカが目印３３Ｂとして設けられている。
【００２２】
又、第２ステージ９の後端部には、次に述べる第３スロープ要素１５と連結する場合に使用する矩形穴状の被係合部５１が左右に離間した状態で一例として２個設けられている。
【００２３】
更に、第２スロープ要素１１では、前後の固定脚部４３Ａ、４３Ｂの高さが違っており、この高さの違いによって車両走行用第１傾斜路７の傾斜角度θが設定されている。
このうち、前方に設けられる高さの高い固定脚部４３Ａの下端部には、上記第１スロープ要素５の後方の脚部２３Ｂの下端部に設けられているものと同じ目的の同様のキャスタ３７が同じく外方に張り出すように設けられている。
【００２４】
一方、後方に設けられる高さの低い固定脚部４３Ｂの前方の近傍には、以下詳述する可動脚部１７が設けられている。
可動脚部１７は、一例として側面視三角形状に組み立てられた構造を有し、上部フレーム３９に設けたベアリングが内包されたピローブロック５３によって軸支される回動軸５５を中心に第２ステージ９とほぼ平行な収納姿勢と、第２ステージ９とほぼ垂直な出現姿勢と、をとれるように回動し得るように構成されている。
【００２５】
又、可動脚部１７と上部フレーム３９との間には、収納姿勢の可動脚部１７の不用意な回動を防止するためのロック手段５７が設けられている。
ロック手段５７は、付勢バネ５９によって常時、ロック方向Ｒに付勢されたロック爪６１と、該ロック爪６１と係合するロックピン６３と、を備えることによって基本的に構成されている。具体的には、上部フレーム３９に対して左右方向Ｘに架け渡されるように回動軸６５が設けられており、該回動軸６５に対して先端に上記ロック爪６１が設けられたロックレバー６０と、先端にハンドルが設けられたロック解除レバー６７が取り付けられている。一方、可動脚部１７には、上述したロックピン６３が設けられている。
【００２６】
そして、上記ロック手段５７によって可動脚部１７の収納姿勢をロックする場合には、可動脚部１７を収納方向Ｓに押圧することによりロックレバー６０を同方向Ｓに回動させて、ロックピン６３をロック爪６１との係合位置に至らせ、更に付勢バネ５９の付勢力によってロックレバー６０がロック方向Ｒに引っ張られることによって可動脚部１７の収納姿勢がロックされる。
又、上記可動脚部１７と上部フレーム３９との間には油圧ダンパ８３が設置されている。上記ロック手段５７を解除すると、上記可動脚部１７が自重で出現する方向に回動するが、その際、上記油圧ダンパ８３によって動作を緩速化させている。
【００２７】
（ｃ）第３スロープ要素
第３スロープ要素１５は、上述したように上記第２スロープ要素１１に対して着脱可能に取り付けられ、地面ＧＬと第２スロープ要素１１との間で車両走行用第２傾斜路１３を提供するスロープ１の構成要素である。
具体的には、上記第１スロープ要素５の上部フレーム１９と上記第２スロープ要素１１の上部フレーム３９と同様、型鋼材等の構造材を使用して矩形枠状に組み立てられたフレーム６９を有しており、該フレーム６９の上面に矩形平板状のパネル７１を取り付けることによって構成されている。
【００２８】
又、フレーム６９の下面には、フォークリフトＦを使用して持ち上げたり、移動する場合に、フォークリフトＦのフォークを係止するための一例として下駄歯状の凸部が係止部７３として前後方向Ｙの中央付近に２対（４個）設けられている。
又、パネル７１の上面には、上記第２スロープ要素１１と同様の図示を省略した凸条が多数設けられており、車両走行用第２傾斜路１３として使用する場合のパネル７１上でのフォークリフトＦないし作業者Ａの滑り防止が図られている。又、パネル７１の左右方向Ｘの両縁部には、固定された長尺な安全ガード柵７５が設けられている。
【００２９】
更に、フレーム６９の前端部には、上記第２スロープ要素１１に設けた被係合部５１に対して上方から挿嵌されて係合する一例として鉤状をした係合部７７がその先端を下方に向けた状態で設けられている。
そして、当該第３スロープ要素１５を上記第２スロープ要素１１に連結したときの車両走行用第２傾斜路１３の傾斜角度θは、上記車両走行用第１傾斜路７の傾斜角度θと同じであり、このように車両走行用第１傾斜路７と車両走行用第２傾斜路１３とを組み合わせることによって、連結した車両走行用傾斜路全体の傾斜角度θを緩やかにしている。
【００３０】
（３）スロープの配置形態と使用方法（図１〜図１７参照）
本考案のスロープ1は、収納時と走行時と作業時とで配置形態と使用方法を異にする。ここでは、収納時と走行時と作業時に分けて本考案のスロープ１の配置形態と使用方法について説明する。
（ａ）収納時（図５参照）
本考案のスロープ１を収納するときには、図５に示すように第１スロープ要素５と第２スロープ要素１１と第３スロープ要素１５の連結を解除してこれらの構成要素５、１１、１５を分離した状態にする。
次に、フォークリフトＦを使用して第３スロープ要素１５を第１スロープ要素５の側傍に運んで、第１スロープ要素５の下部スペースＵに差し込むようにして格納する。
【００３１】
次に、第２スロープ要素１１の可動脚部１７が出現状態である場合には収納状態にし、同じくフォークリフトＦを使用して第２スロープ要素１１を第１スロープ要素５の側傍に運ぶ。
更に、第２スロープ要素１１を上方に持ち上げて第１スロープ要素５の上方空間に向けて差し込むように移動させた後、第１スロープ要素５上に降ろす。
【００３２】
したがって、収納時の本考案のスロープ１は、図５に示すような第１スロープ要素５の上に第２スロープ要素１１を積み重ね、第１スロープ要素５の下部スペースＵに第３スロープ要素１５を収容した配置形態をとる。
そして、このような配置形態をとることによって、本考案のスロープ１の収納姿勢がコンパクトになり、保管場所の選定が容易になって省スペース化にも寄与することができる。
【００３３】
（ｂ）走行時（図１〜図３参照）
フォークリフトＦを第１ステージ３上に移動させる場合には、可動脚部１７を収納姿勢にして第２スロープ要素１１を車両走行用第１傾斜路７として使用する。次に、被係合部３１Ａに係合部４７Ａを係合させて、被係合部５１に係合部７７を係合させて第１スロープ要素５と第２スロープ要素１１と第３スロープ要素１５とを図示のように連結する。
したがって、走行時の本考案のスロープ１は、図１〜図３に示すように第２スロープ要素１１と第３スロープ要素１５が傾斜した姿勢で前後方向Ｙに連結され、更に、傾斜した第２スロープ要素１１がフラットな第１ステージ３を有する第１スロープ要素５に連結された配置形態をとる。
【００３４】
そして、このようにして配置された本考案のスロープ１を使用してフォークリフトＦは、地面ＧＬと所定高さレベルＨの第１ステージ３との間で自由に行き来でき、緩やかな傾斜の走行路を使用して安心、安全に走行することができるようになっている。
【００３５】
（ｃ）作業時（図７、図８及び図１７参照）
第１ステージ３上に移動したフォークリフトＦを使用して荷役作業を行う場合には、可動脚部１７を出現姿勢にして第２スロープ要素１１を第２ステージ９として使用できる状態にする。
この第２スロープ要素１１を例えば図７及び図８に示すように第１スロープ要素５の側方に連結し、適宜安全ガード柵２９と取付け位置を調整すれば、第１ステージ３と第２ステージ９が組み合わさって、左右方向Ｘにステージ領域が拡張された広い作業場所を有する配置形態が得られる。
【００３６】
更に、図７及び図８では、連結した第２スロープ要素１１とトラックＴとの間にできるスペースを利用してパレットＰを積み上げておく補助ステージ７９が設置されており、地面ＧＬ上を走行する別のフォークリフトＦと組み合わせることによって、効率的な荷捌きができるように構成されている。具体的には、第１ステージ３及び第２ステージ９上のフォークリフトＦによってトラックＴの荷台上のコンテナＣから荷物Ｗを出し入れし、地面ＧＬ上を走行する別のフォークリフトＦによって、上記コンテナＣから取り出した荷物Ｗを、補助ステージ７９を介して荷降ろしして、倉庫内に運ぶことができる。又、別のフォークリフトＦを使用して倉庫内の荷物Ｗを、補助ステージ７９の近傍に運んで、補助ステージ７９上に荷揚げするといった使用方法をとることができる。
【００３７】
この他、前後方向Ｙに長い長尺の荷物Ｗの荷役作業を行う場合には、図１７に示すように第１スロープ要素５に対して第２スロープ要素１１を前後方向Ｙに連結して前後方向Ｙに長い一連のステージを有する配置形態をとる。
この場合には、図示のようにトラックＴの荷台上のコンテナＣから長尺の荷物Ｗを取り出した状態でも第１ステージ３の後方に第２ステージ９が連結されているから、安心、安全に荷役作業を行うことができるようになっている。
【００３８】
（４）第２スロープ要素の形態の移行手順（図３、４及び図１２〜図１６参照）
第２スロープ要素１１は、上述したように車両走行用第１傾斜路７として使用する場合にとる可動脚部１７を収納した形態と、第２ステージ９として使用する場合にとる可動脚部１７を出現させる形態の２種類の形態をとることができる。
図３に示す車両走行用第１傾斜路７として使用する場合にとる第２スロープ要素１１の形態から図４に示す第２ステージ９として使用する場合にとる第２スロープ要素１１の形態に移行する場合には、以下の手順をとる。
【００３９】
最初に、図１２に示すようにロック解除レバー６７のハンドルに手を掛けてロック解除レバー６７をロック解除方向Ｓに回してロック手段５７のロックを解除する。
次に、図１３に示すようにフォークリフトＦのフォークを可動脚部１７の回動軸５５近くの基部に差し込んで、図１４に示すように持ち上げる。これにより可動脚部１７は、自重で図１４中、時計回りに回転して、可動脚部１７の基部が高さの低い固定脚部４３Ｂに設けたストッパ８１に当接して、立設姿勢になる。その際、油圧ダンパ８３が機能して動作を緩速化させている。この状態でフォークリフトＦのフォークを下げて可動脚部１７の底面を地面ＧＬに接地させれば、図４に示す第２ステージ９として使用する形態に第２スロープ要素１１を移行させることができる。
【００４０】
一方、図４に示す第２ステージ９として使用する場合にとる第２スロープ要素１１の形態から図３に示す車両走行用第１傾斜路７として使用する場合にとる第２スロープ要素１１の形態に移行する場合には、以下の手順をとる。
最初に、図１３に示すようにフォークリフトＦのフォークを可動脚部１７の回動軸５５近くの基部に差し込んで、図１４に示すように持ち上げる。
【００４１】
この状態から図１５に示すようにフォークリフトＦを前進させて可動脚部１７を収納方向Ｓに押圧すると、可動脚部１７は回動軸５５を中心に図中、反時計方向に回動する。
可動脚部１７が上部フレーム３９とほぼ平行になる収納姿勢に移行する直前の段階に至ると、可動脚部１７に設けられているロックピン６３がロックレバー６０の下端部の上記ロック爪６９の外周面に当接する。この状態から更に可動脚部１７を収納方向Ｓに押圧して行くと、ロックレバー６０は、回動軸６５を中心にして図中、反時計方向に回転し、上記ロックピン６３を上記ロック爪６９のロック作用を行う内周面側に移動させる。
【００４２】
又、ロックレバー６０には付勢バネ５９によってロック方向Ｒの付勢力が作用しているから、ロック爪６１がロックピン６３をくわえて保持するため、可動脚部１７の収納姿勢がロックされる。
この状態で図１６に示すようにフォークリフトＦのフォークを下方に降ろして高さの低い後方の固定脚部４３Ｂを地面ＧＬに接地させれば、図３に示す車両走行用第１傾斜路７として使用する形態に第２スロープ要素１１を移行させることができる。
【００４３】
そして、このようにして構成される本実施の形態によるスロープ１によれば、収納時にはコンパクトに収納でき、高さレベルＨの違う２地点間の移動時には、フォークリフトＦを地面ＧＬと第１ステージ３の間で行き来させる走行路として機能させることができる。
又、第１ステージ３及び第２ステージ９上でのフォークリフトＦの荷役作業時には、フォークリフトＦの広い作業場所を確保することができるようになる。これにより、従来よりも使い勝手の良いコンパクトでステージ拡張機能を兼ね備えたスロープ１を提供することが可能になる。
【００４４】
（５）他の実施の形態
本考案は、上述した一実施の形態の限定されるものではない。
例えば、第１スロープ要素５と第２スロープ要素１１と第３スロープ要素１５は、一組ずつ設ける他、複数組設けることも可能である。具体的には、第１スロープ要素５と第２ステージ９仕様の第２スロープ要素１１とを複数組設けた場合には、一層のステージ領域の拡張が図られる。
又、車両走行用第１傾斜路７仕様の第２スロープ要素１１と第２ステージ９仕様の第２スロープ要素１１を併用すれば、一台のフォークリフトＦを使用して一連の荷役作業を実行することができるようになる。更に、上述したようにステージ領域を拡張したものに対して複数組の走行路を併設することも可能である。このようにした場合には、複数台のフォークリフトＦを同時に使用して一連の荷役作業をさらに効率的に実施することが可能になる。
【００４５】
又、第２スロープ要素１１として高さレベルＨの違うものを複数組使用することも可能である。このようにした場合には、高さレベルＨを段階的になるように設定することで複数組の第２スロープ要素１１と第３スロープ要素１５を高さレベルＨごとに並べて走行路を更に緩やかな傾斜角度θになるように設定することが可能となる。
この他、第２スロープ要素１１に設けた可動脚部１７も出没機構は、上記実施の形態で述べた回動式の他、油圧シリンダやラックピニオン機構等を使用した上下直動式の出没機構等とすることも可能である。
又、前記一実施の形態の場合には、車両の荷台を高所、地面ＧＬを低所として説明したが、それに限定されるものではなく、倉庫が高所で地面ＧＬが低所となる場合もあり、その他、高所と低所の組み合わせには様々な例が考えられる。
【産業上の利用可能性】
【００４６】
本考案は、高さレベルの違う２地点間で荷役作業を行っている作業分野等で利用でき、特に収納形態をよりコンパクトにし、目的に応じて配置形態を自由に変更することが可能で、ステージ領域も拡張したい場合に利用可能性を有する。
【符号の説明】
【００４７】
１  スロープ
３  第１ステージ
５  第１スロープ要素
７  車両走行用第１傾斜路
９  第２ステージ
１１  第２スロープ要素
１３  車両走行用第１傾斜路
１５  第３スロープ要素
１７  可動脚部
１９  上部フレーム
２１  パネル
２３  脚部
２５  係止部
２７  あおり板
２９  安全ガード柵
３１  被係合部
３３  目印
３５  調整足
３７  キャスタ
３９  上部フレーム
４１  パネル
４３  固定脚部
４５  係止部
４７  係合部
４９  フラップ
５１  被係合部
５３  ピローブロック
５５  回動軸
５７  ロック手段
５９  付勢バネ
６０  ロックレバー
６１  ロック爪
６３  ロックピン
６５  回動軸
６７  ロック解除レバー
６９  フレーム
７１  パネル
７３  係止部
７５  安全ガード柵
７７  係合部
７９  補助ステージ
８１  ストッパ
８３  油圧ダンパ
Ａ  作業者
Ｔ  トラック
Ｃ  コンテナ
Ｆ  フォークリフト
ＧＬ  地面
ＡＬ  床面
Ｈ  高さレベル
Ｗ  荷物
Ｙ  前後方向（縦方向）
Ｘ  左右方向（横方向）
θ  傾斜角度
Ｒ  ロック方向
Ｓ  ロック解除方向（収納方向）
Ｕ  下部スペース
Ｐ  パレット
【図１】
0003233043.tif 000003
【図２】
0003233043.tif 000004
【図３】
0003233043.tif 000005
【図４】
0003233043.tif 000006
【図５】
0003233043.tif 000007
【図６】
0003233043.tif 000008
【図７】
0003233043.tif 000009
【図８】
0003233043.tif 000010
【図９】
0003233043.tif 000011
【図１０】
0003233043.tif 000012
【図１１】
0003233043.tif 000013
【図１２】
0003233043.tif 000014
【図１３】
0003233043.tif 000015
【図１４】
0003233043.tif 000016
【図１５】
0003233043.tif 000017
【図１６】
0003233043.tif 000018
【図１７】
0003233043.tif 000019
【手続補正書】
【提出日】令和3年5月27日(2021.5.27)
【手続補正１】
【補正対象書類名】実用新案登録請求の範囲
【補正対象項目名】全文
【補正方法】変更
【補正の内容】
【実用新案登録請求の範囲】
【請求項１】
高所及び低所の内高所側に設置され、低所に対して所定高さレベルの作業場所となる第１ステージを提供する第１スロープ要素と、
上記第１スロープ要素に対して着脱可能に取り付けられ、車両走行用第１傾斜路と、上記第１ステージと同じ高さレベルの第２ステージと、を選択的に提供する第２スロープ要素と、
上記第２スロープ要素に対して着脱可能に取り付けられ、低所と上記第２スロープ要素との間で車両走行用第２傾斜路を提供する第３スロープ要素と、
を具備し、
上記第２スロープ要素の上記第３スロープ要素側の端部には、可動脚部が出没可能に設けられていて、上記車両走行用第１傾斜路を提供する場合には上記可動脚部は収納され、上記第１ステージと同じ高さレベルの第２ステージを提供する場合には上記可動脚部が出現されるものであることを特徴とするスロープ。
【請求項２】
請求項１記載のスロープにおいて、
上記可動脚部は、収納状態をロック手段によってロックされていることを特徴とするスロープ。
【請求項３】
請求項２記載のスロープにおいて、
上記ロック手段は、上記第２スロープ要素に移動可能に設置されたロック爪と、上記可動脚部に設置され上記ロック爪が係合されるロックピンと、上記第２スロープ要素に設置され上記ロック爪を上記ロックピンに係合させる方向に付勢する弾性手段と、上記ロック爪の上記ロックピンへの係合を解除するロック解除レバーと、から構成されていて、
上記ロック手段によるロックを行う場合には、上記可動脚部を収納方向に押圧することにより上記ロック爪が上記ロックピンによって上記弾性手段の付勢力に抗して回動された後上記ロックピンに係合するようにしたことを特徴とするスロープ。
【請求項４】
請求項３記載のスロープにおいて、
上記ロック解除レバーによって上記ロック爪の上記ロックピンへの係合を解除して上記可動脚部が出現する際ダンパによって緩速化するように構成されていることを特徴とするスロープ。
【請求項５】
請求項１〜請求項４の何れかに記載のスロープにおいて、
上記第２スロープ要素の上記可動脚部を出現させて上記第１ステージと同じ高さレベルの第２ステージを提供する場合には、上記第１スロープ要素に対して前後左右の複数の方向から第２スロープ要素を連結させることができるように構成されていることを特徴とするスロープ。
【請求項６】
請求項１〜請求項５の何れかに記載のスロープにおいて、
上記第１スロープ要素には、第２スロープ要素と連結するための被係合部が設けられていて、上記第２スロープ要素には上記被係合部に係合される係合部が設けられていることを特徴とするスロープ。
【請求項７】
請求項１〜請求項６の何れかに記載のスロープにおいて、
上記第２スロープ要素には上記第３スロープ要素と連結するための被係合部が設けられていて、上記第３スロープ要素には上記被係合部に係合される係合部が設けられていることを特徴とするスロープ。
【請求項８】
請求項６又は請求項７記載のスロープにおいて、
上記各被係合部と各係合部の一方又は双方には視認可能な目印が設けられていることを特徴とするスロープ。
【請求項９】
請求項１〜請求項８の何れかに記載のスロープにおいて、
上記第３スロープ要素は、上記第１スロープ要素の下部スペースに格納し得るように構成され、上記第２スロープ要素は上記第１スロープ要素上に載置し得るように構成されていることを特徴とするスロープ。
【手続補正２】
【補正対象書類名】明細書
【補正対象項目名】０００６
【補正方法】変更
【補正の内容】
【０００６】
上記目的を達成するべく本願考案の請求項１によるスロープは、高所及び低所の内高所側に設置され、低所に対して所定高さレベルの作業場所となる第１ステージを提供する第１スロープ要素と、上記第１スロープ要素に対して着脱可能に取り付けられ、車両走行用第１傾斜路と、上記第１ステージと同じ高さレベルの第２ステージと、を選択的に提供する第２スロープ要素と、上記第２スロープ要素に対して着脱可能に取り付けられ、低所と上記第２スロープ要素との間で車両走行用第２傾斜路を提供する第３スロープ要素と、を具備し、上記第２スロープ要素の上記第３スロープ要素側の端部には、可動脚部が出没可能に設けられていて、上記車両走行用第１傾斜路を提供する場合には上記可動脚部は収納され、上記第１ステージと同じ高さレベルの第２ステージを提供する場合には上記可動脚部が出現されるものであることを特徴とするものである。
又、請求項２によるスロープは、請求項１記載のスロープにおいて、上記可動脚部は、収納状態をロック手段によってロックされていることを特徴とするものである。
又、請求項３によるスロープは、請求項２記載のスロープにおいて、上記ロック手段は、上記第２スロープ要素に移動可能に設置されたロック爪と、上記可動脚部に設置され上記ロック爪が係合されるロックピンと、上記第２スロープ要素に設置され上記ロック爪を上記ロックピンに係合させる方向に付勢する弾性手段と、上記ロック爪の上記ロックピンへの係合を解除するロック解除レバーと、から構成されていて、上記ロック手段によるロックを行う場合には、上記可動脚部を収納方向に押圧することにより上記ロック爪が上記ロックピンによって上記弾性手段の付勢力に抗して回動された後上記ロックピンに係合するようにしたことを特徴とするものである。
又、請求項４によるスロープは、請求項３記載のスロープにおいて、上記ロック解除レバーによって上記ロック爪の上記ロックピンへの係合を解除して上記可動脚部が出現する際ダンパによって緩速化するように構成されていることを特徴とするものである。
又、請求項５によるスロープは、請求項１〜請求項４の何れかに記載のスロープにおいて、上記第２スロープ要素の上記可動脚部を出現させて上記第１ステージと同じ高さレベルの第２ステージを提供する場合には、上記第１スロープ要素に対して前後左右の複数の方向から第２スロープ要素を連結させることができるように構成されていることを特徴とするものである。
又、請求項６によるスロープは、請求項１〜請求項５の何れかに記載のスロープにおいて、上記第１スロープ要素には、第２スロープ要素と連結するための被係合部が設けられていて、上記第２スロープ要素には上記被係合部に係合される係合部が設けられていることを特徴とするものである。
又、請求項７によるスロープは、請求項１〜請求項６の何れかに記載のスロープにおいて、上記第２スロープ要素には上記第３スロープ要素と連結するための被係合部が設けられていて、上記第３スロープ要素には上記被係合部に係合される係合部が設けられていることを特徴とするものである。
又、請求項８によるスロープは、請求項６又は請求項７記載のスロープにおいて、上記各被係合部と各係合部の一方又は双方には視認可能な目印が設けられていることを特徴とするものである。
又、請求項９によるスロープは、請求項１〜請求項８の何れかに記載のスロープにおいて、上記第３スロープ要素は、上記第１スロープ要素の下部スペースに格納し得るように構成され、上記第２スロープ要素は上記第１スロープ要素上に載置し得るように構成されていることを特徴とするものである。
【手続補正３】
【補正対象書類名】明細書
【補正対象項目名】０００７
【補正方法】変更
【補正の内容】
【０００７】
したがって、本考案によるスロープによれば、第１スロープ要素と第２スロープ要素と第３スロープ要素は、それぞれが常時連結された一体構造ではなく、必要に応じて分離・連結するセパレート式の着脱構造を採用している。
これにより、収納時には各要素を分離してコンパクトに収納することができるようになり、連結時には、フォークリフト等の車両の走行路あるいは作業場所が拡張されたステージとして利用できるようになって収納性と使い勝手が向上する。
又、第２スロープ要素に設けた出没可能な可動脚部によって、該可動脚部を収納することによって車両走行用第１傾斜路に速やかに移行でき、可動脚部を出現させることによって、上記第１ステージと同じ高さレベルの第２ステージに円滑に移行することが可能になる。
又、可動脚部の収納状態をロック手段によってロックするように構成した場合には、第２スロープ要素における第３スロープ要素側の端部を持って上げ下ろしする際、可動脚部が不用意に出現することが防止されるから、安心・安全な上記上げ下ろしが行われるようになり、不用意な出現によって生ずる可動脚部の損傷も防止される。
又、ロック手段をロック方向に付勢されたロック爪と、ロック爪と係合するロックピンと、を備えることによって構成し、可動脚部を収納方向に押圧することによって上記ロック爪が自動的に回動して該ロック爪がロックピンと係合するロック状態に移行するように構成した場合には、フォークリフト等を使用して可動脚部を収納方向に押圧する１アクションのみで可動脚部の収納方向への回動と可動脚部の収納状態のロックとの２つの動作を同時に行うことが可能になる。
又、上記可動脚部が出現する際にダンパによって緩速化するように構成されているので、可動脚部の出現時の衝撃を吸収することができる。
又、上記第２スロープ要素を上記第１スロープ要素に連結するに際して、前後左右の複数の方向から連結できるように構成した場合には、例えば第１ステージと第２ステージを横（左右）に並べればフォークリフト等の方向転換が容易になって、フォークリフト等による荷役作業の円滑化が期待できる。一方、第１ステージと第２ステージを縦（前後）に並べれば長尺な荷物の荷役作業が可能になる。
又、上記第１スロープ要素に第２スロープ要素と連結するための被係合部を設け、上記第２スロープ要素に上記被係合部に係合される係合部を設けた場合には、当該係合部を被係合部に係合させるだけで第１スロープ要素と第２スロープ要素との連結状態が形成され、当該係合部と当該被係合部の係合を解除するだけで第１スロープ要素と第２スロープ要素を容易に短時間で分離することが可能になる。
又、上記第２スロープ要素に第３スロープ要素と連結するための被係合部を設け、上記第３スロープ要素に上記被係合部に係合させる係合部を設けた場合には、当該係合部を当該被係合部に係合させるだけで第２スロープ要素と第２スロープ要素との連結状態が形成され、当該係合部と当該被係合部の係合を解除するだけで第２スロープ要素と第３スロープ要素を容易に短時間で分離することが可能になる。
又、上記各係合部と各被係合部の一方又は双方に、視認可能な目印を設けた場合には、上記各係合部と各被係合部の係合作業が上記目印に基づいて確実且つ容易に実行できるようになる。
又、上記第１スロープ要素の下部スペースを利用して上記第３スロープ要素を格納し得るように構成し、上記第２スロープ要素は上記第１スロープ要素上に載置し得るように構成した場合には、第１スロープ要素の上下空間の有効利用が図れ、スロープ全体のコンパクトな収納状態が得られる。